(57)【要約】【課題】推進力を大きくする風力板に当たる風圧力を大きくするには風に当たる風上側の風集と風集の間の面積を大きくしなければならないが強風の時風集及び風力板に大きな風圧がかかってこわれるのでこわれないようにする。【解決手段】風を集める所の風集及び風を推進力に替える所の風力板に強風が当たる前に任意の手段により風集又は風力板を風下方向に向けて又は風下方向と平行にして強風を逃がす事により風車又は風力板又は柱がこわれない。【選択図】図３
2010265884.tif 000002
【特許請求の範囲】
【請求項１】
風上側の風上風骨（６７）と他の風上風骨（７５）又は副支持（７３）の間を広くしそして風下側の風下風骨（６９）と他の風下風骨（８３）の間を狭くし、どちらか１方の風下風骨の風下側につなぎ（６０）を介して風力骨（５５）を設けて風力骨（５５）の斜め風下側に風下風力骨（８７）を設けて各各風筋（７１）、（６８）、（８２）、（７２）、（７０）、（８５）、（８４）、（８６）でつなぎ、風下風骨（６７）、（７５）又は副支持（７３）に風集支持（６４）、（７５Ａ）又は（７６）を回転自由に支持して風集支持（６４）、（７５Ａ）又は（７６）に風集（６１）、（８１）を固着し、そして風力骨（５５）に風力板支持（５９）を回転自由に支持し、風力板支持（５９）に風風力板（８８）を固着し、任意の手段で風下側の風集の間を狭くし、そして風力板（８８）と風下方向の角度を大きくし、強風時風集（６１）、（８１）に強風が当る前に任意の手段により風集（６１）、（８１）を風が通しやすい角回転させて強風を逃がす事を特徴とした強風時前風逃風力増強風車。
【請求項２】
強風時風力板（８８）に強風が当たる前に任意の手段により風力板（８８）を風下方向に角回転させて強風を逃がす事を特徴とした請求項１記載の強風時前風逃風力増強風車。
【請求項３】
風集（８０５）、（８２５）及び反対側の風集の角回転軸が風上風骨（８０７）、（８１４）又は副支持（８２６）と風下風骨（８０３）、（８１７）又は副支持（８２３）の間を軸として風集が風骨と略平行方向に角度回転し、強風が風集に当たる前に任意の手段により風集が風骨の長手方向に角度回転して強風を逃がす事を特徴とした請求頂１。記載の強風時前風逃風力増強風車
【請求項４】
風力骨（８０１）と風下風力骨（８２０）の間に風力板（８００）の角回転軸を設けて風力板（８００）に強風が当たる前に任意の手段により風力板（８００）が風力骨（８０１）の長手方向に角回転させて強風を逃がす事を特徴とした請求項２記載の強風時前風逃風力増強風車。
【請求項５】
風集（９１１）、（９０７）の角回転を風上風骨（９１０）（９１６）の長手方向と略直角方向に角回転させ、風上風骨の長手方向の風集（９１１）、（９０７）の木口の任意の所に角回転軸（９０８）を設けて強風が風集（９１１）、（９０７）に当たる前に任意の手段により風集（９１１）（９０７）が風下方向と平行に向かわて強風を逃がす事を特徴とした請求項１記載の強風時前風逃風力増強風車。
【請求項６】
風力骨（９０３）と風下風力骨（９２４）の間の風力骨（９０３）の長手方向の風力板の木口の任意の所に角回転軸を設けて強風が風力板に当たる前に任意の手段により風下方向と平行に風力板を向かわせて強風を逃がす事を特徴とした請求項２記載の強風時前風逃風力増強風車。
【請求項７】
風集又は風力板に何個所かの小窓を設けて任意の方向に角回転する小風集（８１６）（８１５）を設けて強風が小風集に当たる前に任意の手段により小風集が角回転して強風を逃がす事を特徴とした請求項１、２記載の強風時前風逃風力増強風車。
【請求項８】
風上風骨に回転自由に支持さる風集支持そして風下風骨に回転自由に支持される風集支持に各各風集（９１９）、（９２８）の１端を固着し強風が風集に当たる前に任意の手段により風集が各各反対方向に角回転して風集が風下方向と平行にする事により強風を逃がす事を特徴とした請求項１記載の強風時前風逃風力増強風車。
【請求項９】
風力骨（９０３）と風下風力骨（９２４）に風力板支持（９０４）、（９２５）を回転自由に支持し、１方の風力板支持（９０４）に１方の風力板（９０２）を固着し、他方の風力板支持（９２５）に他方の風力板（９２６）を固着し、強風が風力板に当たる前に任意の手段により隣り合う風力板が各各反対の方向に角度回転して風下方向と平行にする事により強風を逃がす事を特徴とした請求項２記載の強風時前風逃風力増強風車。
【請求項１０】
風上風骨（９１６）に回転自由に支持される風集支持（９１７）に風集（９２８）と反対側に風集補助（９１５）を設けて強風が風集又は風集補助に当たる前に任意の手段により風集又は風集補助が角回転して強風を逃がす事を特徴とし請求項１記載の強風時前風逃風力増強風車。
【請求項１１】
風上風骨の長手方向又は風下風骨の長手方向と斜め方向に風集の回転軸線を設けて風集の風上側の任意の所と風上側に比べて風下側の風集の任意の所の回転軸線を角度回転軸に替えて強風が風集に当たる前に任意の手段により風下方向と風集を平行にする事により強風を逃がす事を特徴とした請求項１記載の強風時前風逃風力増強風車。
【請求項１２】
風力骨の長手方向又は風下風力骨の長手方向と斜め方向に風力板の回転軸線を設けて風力板の風上側の任意の所と風上側に比べて風下側の風力板の任意の所の回転軸線を角度回転軸に替えて強風が風力板に当たる前に任意の手段により風下方向と風力板を平行にして強風を逃がす事を特徴とした請求項２記載の強風時前風逃風力増強風車。
【請求項１３】
強風センサーを強風時前風逃風力増強風車に係わる任意の所に設けて強風が風車に当たる前に感知して風車の風集又は風力板を任意の手段により角回転して強風を逃がす事を特徴とした請求項１又は、２又は、３又は、４又は、５又は、６又は、７又は、８又は、９又は、１０又は１１又は１２記載の強風時前風逃風力増強風車。
【請求項１４】
タイマー付強風センサーの強風センサー部が強風に感知して風集又は風力板を任意の手段で角回転させて強風を逃がしますが次の強風を感知するのに１定時間以上の時は１定時間過ぎたら風集又は風力板を元の位置に任意の手段により戻す事を特徴とした請求項１又は、２又は、３又は、４又は、５又は、６又は、７又は、８又は、９又は、１０又は、１１又は１２又は１３記載の強風時前風逃風力増強風車。
【発明の詳細な説明】
【技術分野】
【０００１】風の風圧を強くして風力板に吹き付けるのであるが風圧を強くするには風上側の風集と風集の間を広くしなければならないが強風の時風集又は風力板等がこわれるのでこわれないようにする。
【背景技術】
【０００２】特願２００６−１３４４９４、特願２００７−７５５５８、特願２００８−２１２２１４等がある。
【発明の開示】
【発明が解決しようとする課題】
【０００３】風力を増強して風車の動力源である風力板に吹き付けるには風上側の風集と風集の間を広くし風下側の風集と風集の間を狭くし風集と風力板は連結し、強風時巾広の風上側の風集と風集の間に強風が当たり風下側の風集と風集の間が狭くなるので風抵抗が強くなるので風集又は風力板又は支柱等がこわれるのでこわれないようにする。
【課題を解決するための手段】
【０００４】風上側の風上風骨を各各間を広くして設け必要により副支持７３を風上風骨につなぎ７６を介して設け、風下側に間を狭くして風下風骨６９、８３を設け、風下風骨のどちらか１方の風下側に風力骨５５をつなぎ６０を介して設け、他の風下風骨の風下側に風下風力骨８７を設けて各各風筋７１、７２。６８、７０。８２、８５、８４、８６で結合し風上風骨又は副支持に風集支持６４、７４を回転自由に支持して風集支持６４、７４に風集６１、８１の１方を固着しそして風力骨５５にも回転自由に風力板支持５９を支持し風力板支持５９に風力板８８を固着し【０００５】風上風骨又は副支持に回転自由に支持される風集支持又は風力骨に回転自由に支持される風力骨支持にギアを設けて他のギアを介して強風時前に風集６１、８１又は風力板５５が風が通りやすい角度に角回転して開くか又はウォームギアを介して風集又は風力板が角回転して開くか又は風上風骨及び風力骨に力導骨７７の１端を固着して力導骨７７の他端に回転角自由にシリンダーの１端又はピストンの１端又は嵌合された雄ネジ又は雌ネジのどちらか１方の１端又は嵌合された雄ネジと雌ネジの少なくともどちらか１端にモータを設けてモータの１端又は残った雄ネジ又は雌ネジの１端又はラックとピニオンのラツクの１端又はピニオンに回転自由に支持する支持物の１端を各各支持する又風上風骨又は風力骨にやらず５４を回転角自由に支持してやらずの他端に何個所かの回転自由の結合部を設けて両側から嵌合された雄ネジ又は雌ネジの少なくともどちらか１方にモータを設けてモータの１端又は残った雄ネジ又は雌ネジの１端と回転角自由に結合し上記１端の反対側の他端と風筋及び風集又はつなぎ及び風力板に回転角自由に結合する。又嵌合された雄ネジと雌ネジの所を嵌合されたシリンダーとピストン又はラックとピニオンに替えても良い又やらずの１片側と他片側が違った種類の伸縮手段を設けても良い、他端に回転角自由に結合された風筋は太くする。風上側の強風センサーのスイッチ又は手動スイッチ等より、強風が風集又は風力板に当たる前に上記回転手段又は伸縮手段により風集又は風集面又は風力板又は風力板面を風下方向に向かわせる事により風が逃げる【０００６】後記になりますが回転角モータ又は容積形流体モータの排出口を塞ぐと反発手段として使用出来ます。先ずピン（１０３）等を風集６１、８１又は風力板が通常の位置で解除可能に固定しバネ与力１００に連通された押点７９Ａ。５２Ａ。を引くか又はギア６３又はウォームギア６５で反対回転を加える事によりバネ１０１又は気体圧又はゴム等に反発力が生まれピン等１０３を解除手段（流体圧又は電動手段）等で風上側の強風センサーのスイッチ又は手動スツチ等により又強風が風集又は風力板に当たる前に解除すると上記反発手段により風集又は風集面又は風力板又は風力板面を風下方向に向かわせる事により風を逃がす角度になる。【０００７】又は風上風骨６７Ａ、７５Ａ又は副支持７３Ａ又は風力骨５５Ａに流通管支持３１９を固着し、流通管支持３１９に任意の所に仕切部３１３を設けた流通管３１４。３１７を風上風骨及び風力骨から離して周囲を廻って流通管支持の１方側から流通管支持の反対側に通じ、流通管３１４、３１７に摺接させて受圧部３０４、３０２、３０８、３０９を設けて受圧部３０４受圧部３０２は１体で各各角回転外枠３０５、角回転内枠３１８に固着し、受圧部３０８と受圧部３０９は１体で１体の角回転外枠３１５と角回転内枠３１６に固着し流体出入口１方３０６から流体を入れ流体出入口他方３０７から流体を出すと受圧部３０４、３０２を押しそして受圧部３０８、３０９を引く事により角回転外枠３０５及び角回転内枠３１８及び角回転外枠３１５及び角回転内枠３１６を角回転させる事により角回転外枠３１５に固着された風集６１、８１及び風力板８８が角回転し強風が風集又は風力板に当たる前に上記手段により風集又は風集面又は風力板又は風力板面が風下方向に向かわせる事により風が逃げる。【０００８】段落０００７の角回転モータ（Ａ）にバネ１２１又はゴム又は段落０００７の角回転モータ（Ｂ）又は他の角回転モータ又は容積形流体モータの排出口を塞いだものと組み合せて上記反発手段物と風集又は風力板と連結させて風集又は風力板を通常の位置でピン等で解除可能に固定して段落０００７の角回転モータ（Ａ）を反転させるとバネ１２１又はゴム又は段落０００７の角回転モータ（Ｂ）又は他の角回転モータ又は容積形流体モータの出口を塞いだものに反発力が生まれてピン等の解除手段で強風が風集又は風力板に当たる前に解除すると風集又は風集面又は風力板又は風力板面が上記反発手段により風下方向に向かわせる事により風が逃げる角度になって風が逃ける。【０００９】風上風骨６７Ｂ、７３Ｂ又は風力骨５５Ｂの内部に２本の流通路の流通路の１方４０５又は流通路他方４０６を設け各各出入口１方４０２又出入口他方４０１と連通し、風上風骨又は風力骨を固定内枠４０４で囲み固定内枠４０４の任意の所に固定受圧部４００を設け固定内枠４０４と間を設けて角回転外枠４０３を設けて角回転外枠４０３の任意の所に可動受圧部４０７を設けて可動受圧部４０７と固定内枠４０４と摺接させ固定受圧部４００と角回転外枠４０３は摺接させ角回転外枠４０３の任意の所に風集６１、８１又は風力板８８を固着し強風が風集又は風力板に当たる前に風集又は風集面又は風力板又は風力板面を風下方向に角回転してやると強風が逃げる。角回転外枠と固定内枠の間の角回転空部４０８の両外側に角回転外枠と１体の側枠を設ける。【００１０】段落０００９の角回転モータ（Ｃ）にバネ１３１又はゴム又は段落０００９の角回転モータ（Ｄ）又は他の角回転モータ又は容積形流体モータの出口を塞いたものとの組み合せと風集又は風力板を連通させ、風集又は風力板を通常の位置で解除可能にピン等で固定し段落０００９角回転モータ（Ｃ）を反転させるとバネ１３１又はゴム又は段落０００９の角回転モータ（Ｄ）又は容積形流体モータの出口を塞いだものに反発力が生れてピン等の解除手段により強風が風集又風力板に当たる前に解除する事により上記生れた反発力で風集又風集面又は風力板又は風力板面が風下方向に向かわせる事により強風が逃げやすくなる【００１１】風上風骨６７Ｃ、７３Ｃ又は風力骨５５Ｃの廻りの任意の所に固定受圧部５００を設けた固定内枠５０４に間を設けた固定内枠５０４に間を設けてその廻りに可動受圧部５０７を設けた角回転外枠５０３を設け角回転外枠５０３の任意の所に出入口１方５０１と出入口他方５０２を設け、可動受圧部５０７と固定内枠５０４は摺接し固定受圧部５００と角回転外枠５０３は摺接し角回転外枠５０３の任意の所に風集６１。８１又は風力板８８と固着する。角回転外枠５０３と固定内枠５０４の間の両側枠は角回転外枠５０３と１体の側枠を設ける。強風が風集６１、８１又は風力板８８に当たる前に上記手段により風集又は風集面又は風力板又は風力板面が、風下方向に向けてやると強風が逃げる【００１２】段落００１１の角回転モータ（Ｅ）にバネ１４１又はゴム又は段落００１１の角回転モータ（Ｆ）又は他の角回転モータ又は容積形流体モータの出口の塞いだものと組み合せて連通し上記反発手段と風集又は風力板は連結し風集又は風力板を通常の位置でピン等で解除可能に固定して角回転モータ（Ｅ）を反転させると上記反発手段に反発力が生まれ、強風が風集又は風力板に当たる前にピン等を解除してやると反発力により風集又は風集面又は風力板又は風力板面を風下方向に向けてやる事により強風が逃げる【００１３】四季を通じて又は１年間、１定方向から風が吹くのであれば強風時前風逃風力増強風車及び強風時前風逃風力増強風車郡の風上側に何基かの強風センサーを設ければ良いがどこから吹いて来るのか分らない所は強風時前風逃風力増強風車の周囲又は強風時前風逃風力増強風車郡の周囲又は中に点在させて強風センサーを何基か設ける。
風圧センサーは強風時前風逃風力増強風車の高さと同じ位いにする。前記風集又は風力板に強風が当たる前に風上側の強風センサーに強風が感知出来て通電する事によりタイマーを介す事により、風集又は風集面又は風力板又は風力板面が風下方向に向かわせるには少し時間がかかるそれが可能になる。又強風センサーに強風が感知したら通電しそして通電時間を風集又は風集面又は風力板又は風力板面を風下方向に向かわせる時間だけ通電させる手段を設けても良い又天気予報等により強風が来る前に人為的に１方の電動スイッチを入れ又は１方の流体経路に流体を流す事により風集又は風集面又は風力板又は風力板面を前記角回転手段又は伸縮手段により風下方向に向かわせる。強風が過ぎ去ってもう近い内に強風が来ないと感じたら風集又は風力板を人為的に電動スイッチを入れ又は他方の流体経路に流体を流す事により元に戻す。【００１４】強風は吹き続けるのではなく強く吹いたり弱く吹いたり波があるで強風を感知出来なくなってから約１時間位過ぎてから風集又は風力板を電動又は流体圧による手段を反転させる事により元に戻してやれば良い。強風を感知させるには風圧センサー抵抗を大きくすれば良い。
【発明の効果】
【００１５】強風時前に風集又は風集面又は風力板又は風力板面を風下方向に向かわせる事により強風が逃げやすくなるので巾広の風集又は風力板に風抵抗が受けないので風集及び風力板及び支柱がこわれない。
【発明を実施するための最良の形態】
【００１６】各各広くした風上風骨６７、７５、９１０、９１６の各各に風集支持６４、７６、９３１、９１７を回転自由に支持し風集支持９３１、９１７の各各風集補助９３０、９１５を設けて風集補助の９３０、９１５の任意の所と風筋の間に伸縮可に嵌合された雌ネジと雄ネジ９３２、９２９の少なくともどちらか１方の１端にモータ９３３、９１４を設けモータの他端と風筋又は風集補助のどちらか１方に回転角自由に結合し残りの雌ネジ又は雄ネジどちらか他方の１端と残りの風筋又は風集補助のどちらか他方と回転角自由に結合し【００１７】風上風骨６７、７５の風下側に風上風骨６７、７５の間より狭くし風下風骨６９、８３を設け風下風骨６９又は８３のどちらか１方の風下側の風下風骨に風力骨５５をつなぎ６０を介して設け他方の風下風骨の風下側に風下風力骨８７を各各風筋８６、８４。８５、７０、でつなぎそして風上風骨６７、７５と風下風骨６９。８５、を各各風筋７２。６８。８２。７１でつなぎ風力骨５５に片持材５４Ａを固着して片持材の先端あたりと風力板８８の押点５２Ｂの間に伸縮可に嵌合された雌ネジ又は雄ネジのどちらか１方の１端にモータを設けモータの他端と片持材又は風力板の押点のどちらか１方と回転角自由に結合し残りの雌ネジ又は雄ネジの１端と残りの片持材又は風力板の押点の他方と回転角自由に結合し風集６１、８１は風上風骨６７、７５に回転角自由に支持された風集支持６４、７５Ａに固着する【００１８】強風時前風逃風力増強風車の周囲又は強風時前風逃風力増強風車郡の周囲及び中に点在させてタイマー付強風センサーを設ける。強風センサーは強風を感知すれば良いので抵抗を大きくすれば良い抵抗を大きくしても強風を感じた時に通電して風集又は風力板が風下方向の方に向くまで通電しつづける手段を設けるか又はタイマーにより通電しつづけ風集又は風力板が風下方向に向いた時遮電しでもタイマーが働き１定の時間内に強風を感知しなかった時は電動を反転させて風集又は風力板を元の位置に戻してやれば良い。
【実施例】
【００１９】タイマー付強風センサーと強風時前風逃風力増強風車の間は１００ｍ〜１５０ｍ位あれば良いと思う。広い強風時前風逃風力増強風車郡だと郡の中から突風が生ずるおそれがあるので１ｋｍ〜２ｋｍ位間隔毎にタイマー付強風センサーを設ける方が良い【００２０】風集支持６４、７５Ａ、７６又は風力板支持５９又は風集６１、８１、又は風力板８８に風が通しやすい方にゴム又はバネ又は気体圧等により力を加えておき強風時前に風集支持からいくらか離れた所から風集の自由端までの任意の所と風筋６８、８２、７２、７１又は風下風骨６９、８３の少なくてもどちらか１方にひも巻取器を設けて巻取ってあったひもをゆるめてそして風力板支持からいくらか離れた所から風力板の自由端までの任意の所と風筋８６、８４、８５、７０、８２又は風下風骨８３又は風下風力骨８７の少なくともどちらか１方にひも巻取器を設けて巻取ってあったひもを強風時前にゆるめて風集又は風力板が風が逃げやすい角度にしておく、タイマ付風圧センサーにより強風が１定時間内に感知出来なかったら電動を反転又は流体圧を反流させてひも巻取器でひも巻取って風集又は風力板を通常の位置に戻す。【００２１】風集又は風力板は風骨又は風力板と略直角方向に角度回転するものの中に風骨又は風力骨と略直角方向に角度回転して風集又は風力板の回転軸が風上側の端から風下側の端までの風集又は風力板又は風上側の端から風下側の端まで複数枚風集又は風力板を設けるものそして風集又は風力板は風骨又は風力骨と略平行方向に角度回転するものの中に回転軸が風集又は風力板の端にあるもの又は端以外にあるもの又は風上風骨から風下風骨まで複数枚あるもの又は風力骨から風下風力骨まで複数枚あるもの又は風集又は風力板の回転方向が風上風骨と略直角方向の風集と略平行方向に回転する風集を組み合せたもの又は風力板の回転方向が風力骨と略直角方向と略平行方向を組み合せたものがある。【００２２】風集又は風力板に小窓を設けて小窓の中の小風集が風上風骨と略直角方向に角度回転するものの中に小風集の回転軸が風上側にあるもの又は回転軸が風下側にあるもの、小風集の回転方向が風上風骨と略平行に角度回転するものの中に小風集の回転軸が端にあるもの又は端以外にあるもの、小風集の角回転軸が風上風骨に対して斜め方向にあるものの中に小風集の角回転軸が小風集の風上側の角部と風下側の角部にあるもの又は風上側の角部と風下側の任意の所の辺にあるもの又は風上側の任意の所の辺と風下側の角部又は風上側の任意の所の辺と風下側の任意の所の辺にあるもの、各各の小窓に任意の回転方向の小風集を設けたもの又は各各の小窓に何方向かに回転する何枚かの小風集を各各組み合せたもの【００２３】風力板に設けた小窓の中の小風力板が風力骨と略直角方向に角度回転するものの中に小風力板の回転軸が風上側にあるもの又は風下側にあるもの、小風力板の回転方向が風力骨と略平行に角度回転するものの中に小風力板の回転軸が端にあるもの又は端以外のもの、小風力板の回転軸が風力骨と斜め方向にあるものの中に小風力板の角回転軸が小風力板の風上側の角部と風下側の角部にあるもの又は風上側の角部と風下側の辺の任意の所又は風上側の任意の所の辺と風下側の角部又は風上側の任意の所の辺と風下側の任意の所の辺にあるもの、各各の小窓に任意の回転方向に小風力板を設けたもの又は各各の小窓に何方向かに回転する何枚かの小風力板を各各組み合せたもの。【００２４】風集又は風力板の回転軸線を風上風骨と斜め方向にするものの中に回転軸線を替えた回転軸を風上側の風集の角部の所と風下側の風集の角部の所にあるもの又は風上側の風集の角部と風下側風集の辺の任意の所にあるもの又は風上側の風集の辺の任意の所と風下側の風集の角部にあるもの又は風上側の風集の辺の任意の所と風下側の風集の辺の任意の所にあるもの、又何方向かの何本かの角度回転軸の何枚かの風集を任意に組み合せたものも等がある。【００２５】風力板の回転軸を風力骨と斜め方向にしたものの中に回転軸が風上側の風力板の角部と風下側の風力板の角部にあるも又は風上側の風力板の角部と風下側の風力板の辺の任意の所にあるもの又は風上側の風力板の辺の任意の所と風下側の風力板の角部にあるもの又は風上側の風力板の辺の任意の所と風下側の風力板の辺の任意の所にあるもの、又は何方向かの何本かの角度回転軸の何枚かの風力板を任意に組み合せる事もある。【００２６】段落００２０又は段落００２１又は段落００２２又は段落００２３又は段落００２４又は段落００２５の強風時前風逃風力増強風車の風上側の強風センサー又はタイマー付強風センサーのスイッチ又は手動スイッチにより電動又は流体圧を動かして風集又は風力板を風下方向に向けるか又は風下方向と平行にする。
【産業上の利用可能性】
【００２７】風力発電に利用出来る。
【図面の簡単な説明】
【００２８】
【図１】強風時前風逃風力増強風車の周囲の強風センサーの略配置図。
【図２】強風時前風逃風力増強風車郡の周囲の強風センサーの略配置図。
【図３】強風時前風逃風力増強風車の断面図。
【図４】Ａ−Ａ断面図又はＢ−Ｂ断面図又はＣ−Ｃ断面図。
【図５】Ａ１−Ａ１断面図又はＢ１−Ｂ１断面図又はＣ１−Ｃ１断面図。
【図６】Ａ２−Ａ２断面図又はＢ２−Ｂ２断面図又はＣ２−Ｃ２断面図。
【図７】Ａ３−Ａ３断面図又はＢ３−Ｂ３断面図又はＣ３−Ｃ３断面図。
【図８】Ａ４−Ａ４断面図又はＢ４−Ｂ４断面図又はＣ４−Ｃ４断面図。
【図９】Ａ５−Ａ５断面図又はＢ５−Ｂ５断面図又はＣ５−Ｃ５断面図。
【図１０】Ａ６−Ａ６断面図又はＢ６−Ｂ６断面図又はＣ６−Ｃ６断面図。
【図１１】角度回転容積形流体モータ。
【図１２】角度回転容積形流体モータ。
【図１３】角度回転容積形流体モータ。
【図１４】容積形流体モータ。
【図１５】容積形流体モータ。
【図１６】強風時前風逃風力増強風車の１般断面図。
【図１７】強風時前風逃風力増強風車の１般断面図。
【符号の説明】
【００２９】風圧センサー略位置      １、３、４、５、８、１３、１１、１０
１９、１４、１５、１６、１８
強風時前風逃風力増強    ２、１２、１７、１２Ａ、
風車略位置
風力板                  ５１、８８、８００、９００
ネジ                    ５２、５８、９３２、９２９
雌ネジ                  ５７
やらず                  ５４
風力骨                  ８０１、９０３、５５、５５Ａ、５５Ｂ、５５Ｃ
風力板支持              ５９、９０４、９２５
つなぎ                  ９０５、８０２、６０、７４、８２７、８２２、
風下風骨                ６９、８３、８０３、８１７、９０６
９２０
風集                    ６１、８１、６２、８０、８０５
９０７、９１１、９１９、９２８
９２０、８２５
風筋                    ６８、７１、７２、７０、８２、８５
８４、８６、８０９、８０８、８１０、
８１１、８１８、８１２、９０１、
９０９、９１２、９１３、９２１、
９２２、９１８
風上風骨                ６７、７５、６７Ａ、６７Ｃ、
７３Ｃ、７３Ａ、６７Ｂ、７３Ｂ
風上風骨                ８０７、８１４、９１０、９１６
風集支持１部ギア        ６４
ギア                    ６３
ギア管                  ６４
ウォームギア            ６５
モータ                  ６６、９３３
副支持                  ７３、８２６、８２３
風集支持                ７６、９３１、９１７、９２７
片持材                  ７７５４Ａ、４０、７５Ｂ
ピストン                ７９、
風下風力骨              ８７
シリンダー雌            ７８
流体出入口１方          ３０６
流体出入口他方          ３０７
長手円シリンダー１方外  ３００
長手円シリンダ１方内    ３０３
長手円シリンダ他方外    ３１２
長手円シリンダ他方内    ３１０
受圧部                  ３０４、３０２、３０９、３０８
角回転外枠              ５０３、３０５、３１５、４０３
角回転内枠              ３１８、３１６
流通管１方              ３１７
流通管他方              ３１４
仕切部                  ３１３
流通口１方              ３０１、３１１
流通管支持              ３１９
押点                    ５２Ａ、７９Ａ
押点板                  ８１Ａ、８８Ａ
バネ与力                １００
バネ受力                １０２
固定受圧部              ４００、５００
出入口１方              ４０２、５０２
出入口他方              ４０１、５０１
固定内枠                ４０４、５０４
流通路１方              ４０５
流通路他方              ４０６
可動受圧部              ４０７、５０７
角回転空部              ４０８
回転軸                  ８２４、８０４、６００、６０６、８２９、９０８
排出口                  ６０２、６０８、７０４
吸入口                  ６０４、６１０、７００
ロータ枠                ６０１、６０７
仕切弁                  ６０３、６０９
ロータ                  ６０５、６１１、７０２、７０５
ロータ枠１方            ７０１
ロータ枠他方            ７０６
ギア                    ７０７
風下風力骨              ８２０、９２４
小風集                  ８１６、８１５
風集補助                ９３０、９１５
【図１】
2010265884.tif 000003
【図２】
2010265884.tif 000004
【図３】
2010265884.tif 000005
【図４】
2010265884.tif 000006
【図５】
2010265884.tif 000007
【図６】
2010265884.tif 000008
【図７】
2010265884.tif 000009
【図８】
2010265884.tif 000010
【図９】
2010265884.tif 000011
【図１０】
2010265884.tif 000012
【図１１】
2010265884.tif 000013
【図１２】
2010265884.tif 000014
【図１３】
2010265884.tif 000015
【図１４】
2010265884.tif 000016
【図１５】
2010265884.tif 000017
【図１６】
2010265884.tif 000018
【図１７】
2010265884.tif 000019